(57)【要約】【解決手段】ヒンジ付きバスバーアセンブリは、固定接続部において第１の構成要素に電気的かつ機械的に接続されるように構成された第１のマウントバスバーと、固定接続部において第２の構成要素に電気的かつ機械的に接続されるように構成された第２のマウントバスバーと、第１のマウントバスバーと第２のマウントバスバーとの間に延在している少なくとも２つの延長バスバーと、を含む。隣接する延長バスバーは、枢動接続部において互いに電気的かつ機械的に接続されている。少なくとも２つの延長バスバーのうちの１つは、枢動接続部において第１のマウントバスバーに電気的かつ機械的に接続され、少なくとも２つの延長バスバーのうちの別の１つは、枢動接続部において第２のマウントバスバーに電気的かつ機械的に接続されている。各枢動接続部は、各隣接するバスバーから延在している少なくとも１つの延長部と、各延長部内に取り付けられた少なくとも１つの電気接点と、電気接点を介して挿入されたピンと、を含む。【選択図】図１
2021531563.tif 000002
【特許請求の範囲】
【請求項１】
第１の構成要素と第２の構成要素との間に電気的接続を提供するためのヒンジ付きバスバーアセンブリであって、
固定接続部において前記第１の構成要素に電気的かつ機械的に接続されるように構成された第１のマウントバスバーと、
固定接続部において前記第２の構成要素に電気的かつ機械的に接続されるように構成された第２のマウントバスバーと、
前記第１のマウントバスバーと前記第２のマウントバスバーとの間に延在している、少なくとも２つの延長バスバーであって、隣接する延長バスバーが、枢動接続部において互いに電気的かつ機械的に接続されている、少なくとも２つの延長バスバーと、を備える、ヒンジ付きバスバーアセンブリ。
【請求項２】
各枢動接続部が、各隣接するバスバーから延在している少なくとも１つの延長部と、各延長部内に取り付けられた少なくとも１つの電気接点と、該電気接点を介して挿入されたピンと、を含む、請求項１に記載のヒンジ付きバスバーアセンブリ。
【請求項３】
各延長部が、円筒形である、請求項２に記載のヒンジ付きバスバーアセンブリ。
【請求項４】
各電気接点が、ばね接点である、請求項１に記載のヒンジ付きバスバーアセンブリ。
【請求項５】
前記第１及び第２のマウントバスバーのうちの少なくとも１つが、Ｌ字形であり、各枢動接続部が、各隣接するバスバーから延在している少なくとも１つの延長部と、各延長部内に取り付けられた少なくとも１つの電気接点と、該電気接点を介して挿入されたピンと、を含む、請求項１に記載のヒンジ付きバスバーアセンブリ。
【請求項６】
前記第１及び第２のマウントバスバーのうちの少なくとも１つが、平面状プレートとして形成され、各枢動接続部が、各隣接するバスバーから延在している少なくとも１つの延長部と、各延長部内に取り付けられた少なくとも１つの電気接点と、該電気接点を介して挿入されたピンと、を含み、前記第１及び第２のマウントバスバーのうちの前記少なくとも１つから延在している前記少なくとも１つの延長部が、前記プレートの中央から延在する、請求項１に記載のヒンジ付きバスバーアセンブリ。
【請求項７】
前記第１及び第２のマウントバスバーのうちの少なくとも１つが、平面状プレートとして形成され、各枢動接続部が、各隣接するバスバーから延在している少なくとも１つの延長部と、各延長部内に取り付けられた少なくとも１つの電気接点と、該電気接点を介して挿入されたピンと、を含み、前記第１及び第２のマウントバスバーのうちの前記少なくとも１つから延在している前記少なくとも１つの延長部が、前記プレートの縁部から延在する、請求項１に記載のヒンジ付きバスバーアセンブリ。
【請求項８】
前記バスバーのうちの少なくとも１つが、その長さの少なくとも一部分に沿って延在しているエンボス加工部を有する、請求項１に記載のヒンジ付きバスバーアセンブリ。
【請求項９】
固定接続部において前記第１の構成要素に電気的かつ機械的に接続されるように構成された第３のマウントバスバーと、
固定接続部において前記第２の構成要素に電気的かつ機械的に接続されるように構成された第４のマウントバスバーと、
前記第３のマウントバスバーと前記第４のマウントバスバーとの間に延在している、少なくとも２つの延長バスバーであって、前記第３のマウントバスバーと前記第４のマウントバスバーとの間に延在している隣接する延長バスバーが、枢動接続部において互いに電気的かつ機械的に接続されている、少なくとも２つの延長バスバーと、を更に備える、請求項１に記載のヒンジ付きバスバーアセンブリ。
【請求項１０】
前記第１のマウントバスバーと前記第２のマウントバスバーとの間に延在している前記延長バスバーのうちの１つと、前記第３のマウントバスバーと前記第４のマウントバスバーとの間に延在している前記延長バスバーのうちの１つとの間に接続された第１の絶縁固設装置と、前記第１のマウントバスバーと前記第２のマウントバスバーとの間に延在している前記延長バスバーのうちの第２の延長バスバーと、前記第３のマウントバスバーと前記第４のマウントバスバーとの間に延在している前記延長バスバーのうちの１つの第２の延長バスバーとの間に接続された第２の絶縁固設装置と、を更に備える、請求項９に記載のヒンジ付きバスバーアセンブリ。
【請求項１１】
各固設装置が、内部を通る通路を含み、該通路を通って延在しているケーブルを更に備える、請求項１０に記載のヒンジ付きバスバーアセンブリ。
【請求項１２】
各固設装置が、略Ｈ字形である、請求項１０に記載のヒンジ付きバスバーアセンブリ。
【請求項１３】
各固設装置が、内部を通る通路を含み、該通路を通って延在しているケーブルを更に備える、請求項１２に記載のヒンジ付きバスバーアセンブリ。
【請求項１４】
前記第１のマウントバスバーと第２のマウントバスバーとの間に延在している前記延長バスバーのうちの１つの周りと、前記第３のマウントバスバーと前記第４のマウントバスバーとの間に延在している前記延長バスバーのうちの１つの周りとに延在している第１の絶縁固設装置と、前記第１のマウントバスバーと第２のマウントバスバーとの間に延在している前記延長バスバーのうちの別の１つの周りと、前記第３のマウントバスバーと前記第４のマウントバスバーとの間に延在している前記延長バスバーのうちの別の１つの周りとに延在している第２の絶縁固設装置と、を更に備える、請求項９に記載のヒンジ付きバスバーアセンブリ。
【請求項１５】
アセンブリであって、
第１の構成要素と、
第２の構成要素と、
第１の固定接続部において前記第１の構成要素に電気的かつ機械的に接続された第１のマウントバスバー、第２の固定接続部において前記第２の構成要素に電気的かつ機械的に接続された第２のマウントバスバー、及び前記第１のマウントバスバーと前記第２のマウントバスバーとの間に延在している、少なくとも２つの延長バスバーであって、隣接する延長バスバーが、第１の枢動接続部において互いに電気的かつ機械的に接続され、前記少なくとも２つの延長バスバーのうちの１つが、第２の枢動接続部において前記第１のマウントバスバーに電気的かつ機械的に接続され、前記少なくとも２つの延長バスバーのうちの別の１つが、第３の枢動接続部において前記第２のマウントバスバーに電気的かつ機械的に接続されている、少なくとも２つの延長バスバーを含む、ヒンジ付きバスバーアセンブリと、を備える、アセンブリ。
【請求項１６】
前記第１の構成要素が取り付けられている摺動式挿入可能／引き出し可能なユニットと、前記第２の構成要素が取り付けられているラックマウントハードウェアと、を更に備える、請求項１５に記載のアセンブリ。
【請求項１７】
前記第１の構成要素が、ミッドプレーン、バックプレーン、ドーターカード、及びシャーシのうちの１つであり、前記第２の構成要素が、ミッドプレーン、バックプレーン、ドーターカード、及びシャーシのうちの１つである、請求項１５に記載のアセンブリ。
【請求項１８】
各枢動接続部が、各隣接するバスバーから延在している少なくとも１つの延長部と、各延長部内に取り付けられた少なくとも１つの電気接点と、該電気接点を介して挿入されたピンと、を含む、請求項１５に記載のヒンジ付きバスバーアセンブリ。
【請求項１９】
第３の固定接続部において前記第１の構成要素に電気的かつ機械的に接続された第３のマウントバスバー、第４の固定接続部において前記第２の構成要素に電気的かつ機械的に接続された第４のマウントバスバー、及び前記第３のマウントバスバーと前記第４のマウントバスバーとの間に延在している、少なくとも２つの延長バスバーであって、第２のヒンジ付きバスバーアセンブリの隣接する延長バスバーが、第４の枢動接続部において互いに電気的かつ機械的に接続されており、前記少なくとも２つの延長バスバーのうちの１つが、第５の枢動接続部において前記第３のマウントバスバーに電気的かつ機械的に接続されており、前記少なくとも２つの延長バスバーのうちの別の１つが、第６の枢動接続部において前記第４のマウントバスバーに電気的かつ機械的に接続されている、少なくとも２つの延長バスバーを含む、第２のヒンジ付きバスバーアセンブリを更に備える、請求項１５に記載のアセンブリ。
【請求項２０】
第１の画定されたヒンジ付きバスバーアセンブリの前記延長バスバーのうちの１つと、前記第２のヒンジ付きバスバーアセンブリの前記延長バスバーのうちの１つとの間に接続された第１の絶縁固設装置と、前記第１の画定されたヒンジ付きバスバーアセンブリの前記延長バスバーのうちの別の１つと、前記第２のヒンジ付きバスバーアセンブリの前記延長バスバーのうちの別の１つとの間に接続された第２の絶縁固設装置と、を更に備える、請求項１９に記載のアセンブリ。
【発明の詳細な説明】
【技術分野】
【０００１】
（関連出願）
本出願は、２０１８年８月２７日に出願された、米国特許仮出願第６２／７２３，３３５号に対する国内利益を主張し、その内容は、その全体が本明細書に組み込まれる。
【０００２】
（発明の分野）
本開示は、バスバーの分野に関し、特にヒンジ付きバスバーアセンブリに関する。
【背景技術】
【０００３】
ラックマウントハードウェア内の摺動式挿入可能／引き出し可能なユニットは、部分的に又は完全に延長されたときに、電源を入れる必要がある場合がある。典型的には、これは、シャーシ（又はその一部分）が引き出されて、保管装置へのアクセスを与える保管エンクロージャ内にあり、この時点では依然として電源が入れられており、機能的である。このユニットが完全に延長されたときに電力を維持するには、摺動トラックシステムで通常使用される配線及び標準的な相互接続アセンブリが必要とされる。このようなアセンブリは、米国ワイヤゲージ規格（American wire gauge 、ＡＷＧ）の太いワイヤに起因して、挿入／引き出しの容易性が制限され、物理的なサイズに起因して厄介である可能性がある。このようなアセンブリはまた、（開放状態及び閉状態の両方で）冷却気流を制限する。したがって、特定の個人は、そのようなユニットへの電力を維持するアセンブリの改善を理解するであろう。
【発明の概要】
【０００４】
ラックマウントハードウェア内の摺動式挿入可能／引き出し可能なユニットに対して、配線アセンブリの代わりにバスバーに電力供給を移行することにより、設置面積をより小さくして気流／冷却を改善することができる。本明細書の開示では、可変長のバスバー要素を提供し、高電流加工されたピン及び既知の電気ソケットを枢動接続部に使用してバスバー要素を一緒に「連結する」。各枢動接続部は、ドアヒンジのように機能するが、機械的な接続点／枢動点であることに加えて、バスバーアセンブリを介して電流も搬送する。バスバーアセンブリの各端部は、ミッドプレーン、バックプレーン、ドーターカード、及び挿入可能／格納可能である必要があるシャーシに接続される。
【０００５】
一実施形態では、ヒンジ付きバスバーアセンブリは、固定接続部において第１の構成要素に電気的かつ機械的に接続されるように構成された第１のマウントバスバーと、固定接続部において第２の構成要素に電気的かつ機械的に接続されるように構成された第２のマウントバスバーと、第１のマウントバスバーと第２のマウントバスバーとの間に延在している少なくとも２つの延長バスバーと、を含み、隣接する延長バスバーは、枢動接続部において互いに電気的かつ機械的に接続されている。
【０００６】
一実施形態では、アセンブリが提供される。アセンブリは、第１の構成要素と、第２の構成要素と、ヒンジ付きバスバーアセンブリと、を含む。ヒンジ付きバスバーアセンブリは、第１の固定接続部において第１の構成要素に電気的かつ機械的に接続された第１のマウントバスバーと、第２の固定接続部において第２の構成要素に電気的かつ機械的に接続された第２のマウントバスバーと、第１のマウントバスバーと第２のマウントバスバーとの間に延在している少なくとも２つの延長バスバーと、を含む。隣接する延長バスバーは、第１の枢動接続部において互いに電気的かつ機械的に接続されている。少なくとも２つの延長バスバーのうちの１つは、第２の枢動接続部において第１のマウントバスバーに電気的かつ機械的に接続されている。少なくとも２つの延長バスバーのうちの別の１つは、第３の枢動接続部において第２のマウントバスバーに電気的かつ機械的に接続されている。
【０００７】
本開示は、例として例示され、添付図面に限定されるものではなく、ここにおいて、同様の参照番号は類似の要素を示す。
【図面の簡単な説明】
【０００８】
【図１】内部に摺動式挿入可能／引き出し可能なユニットを有する、従来技術のラックマウントハードウェアを示す。
【図２】摺動式挿入可能／引き出し可能なユニット上に設けられた第１の構成要素に取り付けられ、かつラックマウントハードウェア上に設けられた第２の構成要素に取り付けられた、本開示の第１の実施形態の特徴を組み込む、ヒンジ付きバスバーアセンブリの分解斜視図を示す。
【図３】摺動式挿入可能／引き出し可能なユニット上に設けられた第１の構成要素に取り付けられ、かつラックマウントハードウェア上に設けられた第２の構成要素に取り付けられた、図２のヒンジ付きバスバーアセンブリの組み立て斜視図を示す。
【図４】構成要素のうちの１つに取り付けられた一対のマウントバスバーの一実施形態の斜視図を示す。次に、この構成要素は、プリント回路基板上に取り付けられる。
【図５】図４のマウントバスバーのうちの１つの上面図を示す。
【図６】構成要素のうちの１つに取り付けられた一対のマウントバスバーの別の実施形態の斜視図を示す。
【図７】図６のマウントバスバーのうちの１つの上面図を示す。
【図８】摺動式挿入可能／引き出し可能なユニット上に設けられた第１の構成要素に取り付けられ、かつラックマウントハードウェア上に設けられた第２の構成要素に取り付けられた、図２のヒンジ付きバスバーアセンブリの斜視図を示し、摺動式挿入可能／引き出し可能なユニットは、ラックマウントハードウェアから部分的に取り出されている。
【図９】摺動式挿入可能／引き出し可能なユニット上に設けられた第１の構成要素に取り付けられ、かつラックマウントハードウェア上に設けられた第２の構成要素に取り付けられた、図２のヒンジ付きバスバーアセンブリの斜視図を示し、摺動式挿入可能／引き出し可能なユニットは、ラックマウントハードウェアからなお更に部分的に取り出されている。
【図１０】摺動式挿入可能／引き出し可能なユニット上に設けられた第１の構成要素に取り付けられ、かつラックマウントハードウェア上に設けられた第２の構成要素に取り付けられた、図２のヒンジ付きバスバーアセンブリの斜視図を示し、摺動式挿入可能／引き出し可能なユニットは、ラックマウントハードウェアから完全に取り出されている。
【図１１】摺動式挿入可能／引き出し可能なユニット上に設けられた第１の構成要素に取り付けられ、かつラックマウントハードウェア上に設けられた第２の構成要素に取り付けられた、本開示の第２の実施形態の特徴を組み込む、ヒンジ付きバスバーアセンブリの斜視図を示す。
【図１２】摺動式挿入可能／引き出し可能なユニット上に設けられた第１の構成要素に取り付けられ、かつラックマウントハードウェア上に設けられた第２の構成要素に取り付けられた、本開示の第３の実施形態の特徴を組み込む、ヒンジ付きバスバーアセンブリの斜視図を示す。
【図１３】摺動式挿入可能／引き出し可能なユニット上に設けられた第１の構成要素に取り付けられ、かつラックマウントハードウェア上に設けられた第２の構成要素に取り付けられた、図１２のヒンジ付きバスバーアセンブリの斜視図を示し、摺動式挿入可能／引き出し可能なユニットは、ラックマウントハードウェアから部分的に取り出されている。
【図１４】摺動式挿入可能／引き出し可能なユニット上に設けられた第１の構成要素に取り付けられ、かつラックマウントハードウェア上に設けられた第２の構成要素に取り付けられた、本開示の第４の実施形態の特徴を組み込む、ヒンジ付きバスバーアセンブリの斜視図を示す。
【図１５】本開示の第５の実施形態の特徴を組み込む、ヒンジ付きバスバーアセンブリの分解斜視図を示す。
【図１６】摺動式挿入可能／引き出し可能なユニット上に設けられた第１の構成要素に取り付けられ、かつラックマウントハードウェア上に設けられた第２の構成要素に取り付けられた、図１５のヒンジ付きバスバーアセンブリの組み立て斜視図を示す。
【図１７】摺動式挿入可能／引き出し可能なユニット上に設けられた第１の構成要素に取り付けられ、かつラックマウントハードウェア上に設けられた第２の構成要素に取り付けられた、本開示の第６の実施形態の特徴を組み込む、ヒンジ付きバスバーアセンブリの斜視図を示す。
【図１８】摺動式挿入可能／引き出し可能なユニット上に設けられた第１の構成要素に取り付けられ、かつラックマウントハードウェア上に設けられた第２の構成要素に取り付けられた、本開示の第７の実施形態の特徴を組み込む、ヒンジ付きバスバーアセンブリの斜視図を示す。
【図１９】図１８に示すものとは異なる配向で、図１８のヒンジ付きバスバーアセンブリの斜視図を示す。
【図２０】摺動式挿入可能／引き出し可能なユニット上に設けられた第１の構成要素に取り付けられ、かつラックマウントハードウェア上に設けられた第２の構成要素に取り付けられた、本開示の第８の実施形態の特徴を組み込む、ヒンジ付きバスバーアセンブリの斜視図を示す。
【発明を実施するための形態】
【０００９】
必要に応じて、添付の図面は、本開示の実施形態を例示し、開示される実施形態は、本開示の単なる例示に過ぎず、様々な形態で具現化され得ることを理解されたい。したがって、本明細書に開示される具体的な詳細は、限定として解釈されるべきではなく、単に特許請求の範囲の基礎として、及び本開示を様々に採用するために当業者に教示するための代表的な基礎として解釈されるべきである。
【００１０】
これらの図面は、本開示の実施形態を例示し、開示される実施形態は、本開示の単なる例示に過ぎず、様々な形態で具現化され得ることを理解されたい。したがって、本明細書に開示される具体的な詳細は、限定として解釈されるべきではなく、単に特許請求の範囲の基礎として、及び本開示を様々に採用するために当業者に教示するための代表的な基礎として解釈されるべきである。
【００１１】
図１は、内部に摺動式挿入可能／引き出し可能なユニット３０を有するラックマウントハードウェア２０を例示する。より具体的には、図１及び図２は、ラックマウントハードウェア２０が、挿入可能／引き出し可能な上部２Ｕ部分を有する４Ｕラックシステムであることを例示する。図示のように、摺動式挿入可能／引き出し可能なユニット３０は、引き出しの形態を採ってもよく、ラックマウントハードウェア２０は、引き出しが取り付けられたキャビネットの形態を採ってもよい。摺動式挿入可能／引き出し可能なユニット３０は、第１の構成要素４０、例えば、ミッドプレーン、バックプレーン、ドーターカードなど、及びその上に取り付けられたシャーシを有し、ラックマウントハードウェア２０は、第２の構成要素５０、例えば、ミッドプレーン、バックプレーン、ドーターカードなど、及びその上に取り付けられたシャーシを有する。
【００１２】
残りの図面では、構成要素４０と構成要素５０との間で電力が伝送され、構成要素４０と構成要素５０との間で接地が提供されるように、第１及び第２の構成要素４０、５０を一緒に接続することに関連して利用されてもよい、ヒンジ付きバスバーアセンブリ１００、２００、３００、４００、５００、６００、７００、８００の様々な実施形態を例示する。ヒンジ付きバスバーアセンブリ１００、２００、３００、４００、５００、６００、７００、８００は、摺動式挿入可能／引き出し可能なユニット３０とラックマウントハードウェア２０との間の電路を常に維持しながら、摺動式挿入可能／引き出し可能なユニット３０をラックマウントハードウェア２０から外向きに引き出すこと、又はラックマウントハードウェア２０内に内向きに押し込むことを可能にする。
【００１３】
ヒンジ付きバスバーアセンブリ１００、２００、３００、４００、５００、６００、７００、８００の各実施形態は、第１の構成要素４０に機械的かつ電気的に取り付けられるように構成された第１のマウントバスバー１１０、６１０と、第２の構成要素５０に機械的かつ電気的に取り付けられるように構成された第２のマウントバスバー１２０、６２０と、第１の枢動接続部１８０で第１のマウントバスバー１１０、６１０に機械的かつ電気的に接続されるように構成された第１の延長バスバー１３０、６３０と、第２の枢動接続部１８２で第２のマウントバスバー１２０、６２０に機械的かつ電気的に接続されるように構成され、第３の枢動接続部１８４で第１の延長バスバー１３０、６３０に機械的かつ電気的に接続されるように構成された第２の延長バスバー１４０、６４０と、を有する。
【００１４】
図２〜図７に例示するように、ヒンジ付きバスバーアセンブリ１００の第１の実施形態に注目する。ヒンジ付きバスバーアセンブリ１００は、第１及び第２のマウントバスバー１１０、１２０、第１及び第２の延長バスバー１３０、１４０、３つのピン１５０、３つの保持クリップ１６０、並びに６つの電気接点１７０を含む。各電気接点１７０は、ばね接点であってもよい。ヒンジ付きバスバーアセンブリ１００の各構成要素、すなわち、マウントバスバー１１０、１２０、延長バスバー１３０、１４０、ピン１５０、保持クリップ１６０、及び電気接点１７０は、伝導力があり、その結果、ヒンジ付きバスバーアセンブリ１００に沿って構成要素４０と構成要素５０との間で電力を伝送することができ、その結果、ヒンジ付きバスバーアセンブリ１００を構成要素４０と構成要素５０との間の接地電流として使用することができる。
【００１５】
マウントバスバー１１０、１２０は、様々な形態を採ってもよい。
【００１６】
第１の実施形態では、第１のマウントバスバー１１０は、略Ｌ字形の構成であり、適切な手段、例えば、ボルト、ねじ、リベットなどによって固定接続部において第１の構成要素４０に固設された第１の脚部１１１、並びに第１の脚部１１１及び第１の構成要素４０に対して略垂直に延在している第２の脚部１１２を有する。第２の脚部１１２は、自由端１１３を有する。略円筒形延長部１１４は、自由端１１３の上部又は下部から外向きに延在している（図２では、第１のマウントバスバー１１０は、自由端１１３の下部から外向きに延在している略円筒形延長部１１４を示す）。略円筒形延長部１１４は、その内部を通って設けられた開口部（図示せず）を有し、この開口部は、略円筒形延長部１１４の内壁（図示せず）を画定する。第２のマウントバスバー１２０は、第１のマウントバスバー１１０又は第２のマウントバスバー１２０のいずれかに同じ部品を使用することができるように、第１のマウントバスバー１１０と同一である。したがって、第２のマウントバスバー１２０は、適切な手段、例えば、ボルト、ねじ、リベットなどによって固定接続部において第２の構成要素５０に固設された第１の脚部１２１、並びに第１の脚部１２１及び第２の構成要素５０に対して略垂直に延在している第２の脚部１２２を有する。第２の脚部１２２は、自由端１２３を有する。略円筒形延長部１２４は、自由端１２３の上部又は下部から外向きに延在している（図２では、第２のマウントバスバー１２０は、自由端１２３の上部から外向きに延在している略円筒形延長部１２４を示す）。略円筒形延長部１２４は、その内部を通って設けられた開口部１２５を有し、この開口部は、略円筒形延長部１２４の内壁１２６を画定する。マウントバスバー１１０、１２０の第１の脚部１１１、１２１は、マウントバスバー１１０、１２０を、水平に取り付けられた第１の構成要素４０、５０に接続するように修正することができる（その結果、マウントバスバー１１０は、略Ｌ字形ではない）。
【００１７】
図４及び図５に示すような第２の実施形態では、第１のマウントバスバー１１０及び／又は第２のマウントバスバー１２０は、適切な手段、例えば、ボルト、ねじ、リベットなどによって固定接続部においてそれぞれの構成要素４０、５０に固設された第１の脚部１１１、１２１のみを有する。第１の脚部１１１、１２１は、プレートとして形成されている。第１の脚部１１１、１２１は、第１の平面状側面１１１ａ、１２１ａ及び第２の平面状側面１１１ｂ、１２１ｂを有する。側面、例えば、側面１１１ｂ、１２１ｂのうちの１つは、第１の脚部１１１、１２１と構成要素４０、５０とが互いに平行であるように、それぞれの構成要素４０、５０に当接している。略円筒形延長部１１４、１２４は、第１の脚部１１１、１２１の縁部１１１ｃ、１２１ｃから外向きに、かつそれぞれの構成要素４０、５０から外向きに延在している。略円筒形延長部１１４、１２４は、その内部を通って設けられた開口部１１５、１２５を有し、この開口部は、略円筒形延長部１１４、１２４の内壁を画定する。この実施形態では、構成要素４０、５０は、別のプリント回路基板４２上のエッジカードコネクタ内に挿入されているプリント回路基板であってもよい。単一の延長部１１４、１２４が示されているが、複数の延長部１１４、１２４が設けられてもよい。
【００１８】
図６及び図７に示すような第３の実施形態では、第１のマウントバスバー１１０及び／又は第２のマウントバスバー１２０は、適切な手段、例えば、ボルト、ねじ、リベットなどによって固定接続部においてそれぞれの構成要素４０、５０に固設された第１の脚部１１１、１２１のみを有する。第１の脚部１１１、１２１は、プレートとして形成されている。第１の脚部１１１、１２１は、第１の平面状側面１１１ａ、１２１ａ及び第２の平面状側面１１１ｂ、１２１ｂを有する。側面、例えば、側面１１１ｂ、１２１ｂのうちの１つは、第１の脚部１１１、１２１と構成要素４０、５０とが互いに平行であるように、それぞれの構成要素４０、５０に当接している。略円筒形延長部１１４、１２４は、第１の脚部１１１、１２１の中央から外向きに、かつミッドプレーン又はバックプレーンであってもよい、それぞれの構成要素４０、５０から外向きに延在している。略円筒形延長部１１４、１２４は、その内部を通って設けられた開口部１１５、１２５を有し、この開口部は、略円筒形延長部１１４、１２４の内壁を画定する。この実施形態では、構成要素４０、５０は、プリント回路基板４２内に挿入されているエッジカードであってもよい。単一の延長部１１４、１２４が示されているが、複数の延長部１１４、１２４が設けられてもよい。
【００１９】
第１の延長バスバー１３０は、好ましくは、真っ直ぐな構成であり、第１の自由端１３１及び反対側の第２の自由端１３２を有する。端部１３１と端部１３２との間の第１の延長バスバー１３０の側面は、平面状であってもよい。略円筒形延長部１３３は、第１の自由端１３１の上部又は下部から外向きに延在し、略円筒形延長部１３４は、第２の自由端１３２の上部又は下部から外向きに延在している（図２では、略円筒形延長部１３３、１３４は、自由端１３１、１３２の上部から外向きに延在しているものとして示されている）。略円筒形延長部１３３、１３４は各々、その内部を通って設けられた開口部１３５、１３６をそれぞれ有し、この開口部は、略円筒形延長部１３３、１３４の内壁１３７、１３８を画定する。略円筒形延長部１３３は、その開口部が互いに一直線になるように、第１のマウントバスバー１１０の略円筒形延長部１１４に対して位置決めされる。図２に例示するように、略円筒形延長部１３３は、略円筒形延長部１１４の上方に位置決めされる。
【００２０】
第２の延長バスバー１４０は、第１の延長バスバー１３０又は第２の延長バスバー１４０のいずれかに同じ部品を使用することができるように、第１の延長バスバー１３０と同一である。したがって、第２の延長バスバー１４０は、第１の自由端１４１及び反対側の第２の自由端１４２を有する。端部１４１と端部１４２との間の第２の延長バスバー１４０の側面は、平面状であってもよい。略円筒形延長部１４３は、第１の自由端１４１の上部又は下部から外向きに延在し、略円筒形延長部１４４は、第２の自由端１４２の上部又は下部から外向きに延在している（図２では、略円筒形延長部１４３、１４４は、自由端１４１、１４２の下部から外向きに延在しているものとして示されている）。略円筒形延長部１４３、１４４は各々、その内部を通って設けられた開口部（図示せず）をそれぞれ有し、この開口部は、略円筒形延長部１４３、１４４の内壁（図示せず）を画定する。略円筒形延長部１４３は、その開口部が互いに一直線になるように、第１の延長バスバー１３０の略円筒形延長部１３４に対して位置決めされる。図２に例示するように、略円筒形延長部１４３は、略円筒形延長部１３４の下方に位置決めされる。略円筒形延長部１４４は、その開口部が互いに一直線になるように、第２のマウントバスバー１２０の略円筒形延長部１２４に対して位置決めされる。図２に例示するように、略円筒形延長部１４４は、略円筒形延長部１２４の下方に位置決めされる。
【００２１】
各円筒形延長部１１４、１２４、１３３、１３４、１４３、１４４は、それぞれの開口部内でそれぞれの内壁に固設された電気接点１７０のうちの１つを有する。電気接点１７０は、任意の好適な構成を有してもよいが、好ましくは、出願人が所有する国際公開第２０１８／０９３９８１号に示され、記載されているタイプの構成であり、その内容は、その全体が参照により本明細書に組み込まれる。
【００２２】
第１の接続部１８０は、ピン１５０のうちの１つを、第１のマウントバスバー１１０及び第１の延長バスバー１３０の円筒形延長部１１４、１３３の位置合わせされた開口部及び電気接点１７０を介してそれぞれ挿入することによって形成され、保持クリップ１６０のうちの１つによって定位置に固設されており、これにより、第１のマウントバスバー１１０及び第１の延長バスバー１３０の両方を機械的かつ電気的に接続している。第２の接続部１８２は、ピン１５０のうちの第２のピンを、第２のマウントバスバー１２０及び第２の延長バスバー１４０の円筒形延長部１２４、１４４の位置合わせされた開口部及び電気接点１７０を介してそれぞれ挿入することによって形成され、保持クリップ１６０のうちの第２の保持クリップによって定位置に固設されており、これにより、第２のマウントバスバー１２０及び第２の延長バスバー１４０の両方を機械的かつ電気的に接続している。第３の接続部１８４は、ピン１５０のうちの第３のピンを、第１の延長バスバー１３０及び第２の延長バスバー１４０の円筒形延長部１３４、１４３の位置合わせされた開口部及び電気接点１７０を介してそれぞれ挿入することによって形成され、保持クリップ１６０のうちの第３の保持クリップによって定位置に固設されており、これにより、第１の延長バスバー１３０及び第２の延長バスバー１４０の両方を機械的かつ電気的に接続している。したがって、第１、第２、及び第３の接続部１８０、１８２、１８４は、ヒンジのように作用し、その結果、第１及び第２の延長バスバー１３０、１４０が全て、電気的接続を維持しながら、ほぼ同じように回転することができる。
【００２３】
図８〜図１０は、摺動式挿入可能／引き出し可能なユニット３０が内部で移動可能であるが、完全に延長されたときに依然として電力供給されるように、ラックマウントハードウェア２０内で互いに隣接して位置決めされた一対のヒンジ付きバスバーアセンブリ１００を例示する。第１の構成要素４０は、摺動式挿入可能／引き出し可能なユニット３０上に取り付けられ、第２の構成要素５０は、ラックマウントハードウェア２０上に取り付けられている。ヒンジ付きバスバーアセンブリ１００の一方は、図３及び図４に例示するように位置決めされており、ヒンジ付きバスバーアセンブリ１００の他方は、１８０度反転された構成になっており、その結果、第１及び第２の延長バスバー１３０、１４０の回転は、反対方向に生じる。ヒンジ付きバスバーアセンブリ１００は、接続部１８０、１８２、１８４の周りを枢動する。図８〜図１０に示すように、ヒンジ付きバスバーアセンブリ１００は、ヒンジ付きバスバーアセンブリ１００が摺動式挿入可能／引き出し可能なユニット３０とラックマウントハードウェア２０との間に取り付けられる配向の結果として、ハサミ様に枢動する。一実施形態では、１つのヒンジ付きバスバーアセンブリ１００は、第１の構成要素４０と第２の構成要素５０との間で１２ボルトＤＣなどの電力を伝送し、他のヒンジ付きバスバーアセンブリ１００は、第１の構成要素４０と第２の構成要素５０との間の接地電流に使用される。
【００２４】
図１１は、ヒンジ付きバスバーアセンブリ２００の第２の実施形態を例示する。ヒンジ付きバスバーアセンブリ２００は、第１及び第２の延長バスバー１３０、１４０が、延長バスバー１３０、１４０の剛性を改善するために、その長さに沿って延長バスバー１３０、１４０の側面に追加されるエンボス加工部２３９、２４９をそれぞれ含むことを除いて、ヒンジ付きバスバーアセンブリ１００と同一である。図示の実施形態では、各エンボス加工部２３９、２４９は、直線状であり、第１の端部１３１、１４１に近接してから、それぞれの第２の端部１３２、１４２に近接して延在している。エンボス加工部２３９、２４９は、様々な形状、例えば、曲線、波形、ジグザグなどを採ってもよいが、これらに限定されず、同じ形状を有する必要はない。加えて、エンボス加工部２３９、２４９は、延長バスバー１３０、１４０の長さに沿って重なり合う複数のエンボス加工部から形成されてもよい。例えば、上部エンボス加工部は、延長バスバー１３０、１４０の中間点をちょうど通過させるために、第１の端部１３１、１４１に近接してから延在し、下部エンボス加工部は、延長バスバー１３０、１４０の中間点をちょうど通過させるために、第２の端部１３２、１４２に近接してから延在している。
【００２５】
図１２は、ヒンジ付きバスバーアセンブリ３００の第３の実施形態を例示する。ヒンジ付きバスバーアセンブリ３００には、互いに隣接して、例えば、一方が他方の上部に直接位置決めされた、一対の同一のヒンジ付きバスバーアセンブリ１００を含む。バスバーアセンブリ１００は、上部及び底部バスバーアセンブリ１００として示されているが、並列であってもよい。各ヒンジ付きバスバーアセンブリ１００は、その第１の端部で第１の構成要素４０に接続され、その第２の端部で第２の構成要素５０に接続されている。ヒンジ付きバスバーアセンブリ１００は、ヒンジ付きバスバーアセンブリ１００の長さに沿って空間がそれらの間に形成されるように、各々から離間している。各ヒンジ付きバスバーアセンブリ１００は、第１の構成要素４０と第２の構成要素５０との間に独自の電路を提供する。ヒンジ付きバスバーアセンブリ３００は、ヒンジ付きバスバーアセンブリ１００を一緒に定位置に固設する、一対の絶縁固設装置３９０を更に含み、それにより、ヒンジ付きバスバーアセンブリ１００が一緒に回転することを確実にする。第１の固設装置３９０は、第１の延長バスバー１３０の両方を略包囲して、それらを一緒に定位置に固設させ、第２の固設装置３９０は、第２の延長バスバー１４０の両方を略包囲して、それらを一緒に定位置に固設させ、それにより、ヒンジ付きバスバーアセンブリ１００の各々が一緒に回転することを確実にする。固設装置３９０は、ストラップ、バンドなどであってもよい。各固設装置３９０は、略Ｏ字形であってもよく、それぞれの延長バスバー１３０、１４０の周りに位置決めされてもよい。
【００２６】
図１３は、摺動式挿入可能／引き出し可能なユニット３０が内部で移動可能であるが、完全に延長されたときに依然として電力供給されるように、ラックマウントハードウェア２０内に位置決めされているヒンジ付きバスバーアセンブリ３００を例示する。第１の構成要素４０は、摺動式挿入可能／引き出し可能なユニット３０上に取り付けられ、第２の構成要素５０は、ラックマウントハードウェア２０上に取り付けられている。図１０には１つのヒンジ付きバスバーアセンブリ３００のみが例示されているが、更なるヒンジ付きバスバーアセンブリ３００を所望／必要に応じて利用してもよいことを理解されたい。一実施形態では、ヒンジ付きバスバーアセンブリ３００のうちの１つのヒンジ付きバスバーアセンブリ１００が、第１の構成要素４０と第２の構成要素５０との間で１２ボルトＤＣなどの電力を伝送し、ヒンジ付きバスバーアセンブリ３００のうちの他のヒンジ付きバスバーアセンブリ１００が、第１の構成要素４０と第２の構成要素５０との間の接地電流に使用される。
【００２７】
図１４は、ヒンジ付きバスバーアセンブリ４００の第４の実施形態を例示する。ヒンジ付きバスバーアセンブリ４００は、互いに隣接して、例えば、一方が他方の上部に直接位置決めされた、一対の同一のヒンジ付きバスバーアセンブリ２００を含む。バスバーアセンブリ１００は、上部及び底部バスバーアセンブリ１００として示されているが、並列であってもよい。各ヒンジ付きバスバーアセンブリ２００は、その第１の端部で第１の構成要素４０に接続され、その第２の端部で第２の構成要素５０に接続されている。ヒンジ付きバスバーアセンブリ２００は、ヒンジ付きバスバーアセンブリ２００の長さに沿って空間がそれらの間に形成されるように、各々から離間している。各ヒンジ付きバスバーアセンブリ２００は、第１の構成要素４０と第２の構成要素５０との間に独自の電路を提供する。次に、ヒンジ付きバスバーアセンブリ４００は、ヒンジ付きバスバーアセンブリ２００を一緒に定位置に固設する、一対の絶縁固設装置４９０を更に含み、それにより、ヒンジ付きバスバーアセンブリ２００が一緒に回転することを確実にする。第１の固設装置４９０は、略Ｈ字形であり、第１の延長バスバー１３０の両方の間の空間内に位置決めされており、それらを一緒に定位置に固設させ、第２の固設装置４９０は、略Ｈ字形であり、第２の延長バスバー１４０の両方の間の空間内に位置決めされており、それらを一緒に定位置に固設させ、それにより、ヒンジ付きバスバーアセンブリ２００の各々が一緒に回転することを確実にする。図９の固設装置３９０は、固設装置４９０の代わりに、この第４の実施形態に使用することができる。図１１の固設装置４９０は、固設装置３９０の代わりに、第３の実施形態に使用することができる。
【００２８】
図１５及び図１６は、ヒンジ付きバスバーアセンブリ５００の第５の実施形態を例示する。ヒンジ付きバスバーアセンブリ５００は、略円筒形延長部１１４、１２４、１３３、１３４、１４３、１４４が、各円筒形延長部１１４、１２４、１３３、１３４、１４３、１４４が一対の電気接点１７０を内部に取り付けるように拡大されることを除いて、ヒンジ付きバスバーアセンブリ１００と同一である。各円筒形延長部１１４、１２４、１３３、１３４、１４３、１４４における一対の電気接点１７０の使用により、単一の電気接点と比較してより高い電流容量を可能にする。
【００２９】
図１７は、ヒンジ付きバスバーアセンブリ６００の第６の実施形態を例示する。ヒンジ付きバスバーアセンブリ６００は、第１及び第２のマウントバスバー６１０、６２０、第１及び第２の延長バスバー６３０、６４０、３つのピン１５０、３つの保持クリップ１６０、及び１２個の電気接点１７０（図示せず）を含む。
【００３０】
マウントバスバー６１０、６２０は、様々な形態を採ってもよい。
【００３１】
図１７に示すような第１の実施形態では、第１のマウントバスバー６１０は、略Ｌ字形の構成であり、適切な手段、例えば、ボルト、ねじ、リベットなどによって固定接続部において第１の構成要素４０に固設された第１の脚部６１１、及び第１の脚部６１１に対して略垂直に延在している第２の脚部６１２を有する。第２の脚部６１２は、自由端６１３を有する。略円筒形延長部６１４は、自由端６１３の中央部分から外向きに延在している。略円筒形延長部６１４は、その内部を通って設けられた開口部（図示せず）を有し、この開口部は、略円筒形延長部６１４の内壁（図示せず）を画定する。第２のマウントバスバー６２０は、略Ｌ字形の構成であり、適切な手段、例えば、ボルト、ねじ、リベットなどによって固定接続部において第２の構成要素５０に固設された第１の脚部６２１、及び第１の脚部６２１に対して略垂直に延在している第２の脚部６２２を有する。第２の脚部６２２は、自由端６２３を有する。第１及び第２の略円筒形延長部６２４ａ、６２４ｂは、自由端６２３のそれぞれ上部及び下部から外向きに延在している。各略円筒形延長部６２４ａ、６２４ｂは、その内部を通って設けられた開口部（図示せず）を有し、この開口部は、略円筒形延長部６２４ａ、６２４ｂの内壁（図示せず）を画定する。
【００３２】
代替的に、マウントバスバー６１０、６２０は、図４〜図７に示す形態を採ってもよい。
【００３３】
第１の延長バスバー６３０は、略真っ直ぐな構成であり、第１の自由端６３１及び反対側の第２の自由端６３２を有する。端部６３１と端部６３２との間の第１の延長バスバー６３０の側面は、平面状であってもよいか、又はその上に、図８に示すようなエンボス加工部を有してもよい。第１及び第２の略円筒形延長部６３３ａ、６３３ｂは、自由端６３１のそれぞれ上部及び下部から外向きに延在し、略円筒形延長部６３４ａ、６３４ｂは、第２の自由端６３２のそれぞれ上部及び下部から外向きに延在している。略円筒形延長部６３３ａ、６３３ｂ、６３４ａ、６３４ｂの各々は、その内部を通って設けられた開口部（図示せず）を有し、この開口部は、略円筒形延長部６３３ａ、６３３ｂ、６３４ａ、６３４ｂの内壁（図示せず）を画定する。第１のマウントバスバー６１０の略円筒形延長部６１４は、その開口部が互いに一直線になるように、第１の延長バスバー６３０の略円筒形延長部６３３ａと略円筒形延長部６３３ｂとの間に位置決めされる。
【００３４】
第２の延長バスバー６４０は、第１の自由端６４１及び反対側の第２の自由端６４２を有する。端部６４１と端部６４２との間の第２の延長バスバー６４０の側面は、平面状であってもよいか、又はその上に、図８に示すようなエンボス加工部を有してもよい。略円筒形延長部６４３は、第１の自由端６４１の中央部分から外向きに延在し、略円筒形延長部６４４は、第２の自由端６４２の中央部分から外向きに延在している。略円筒形延長部６４３、６４４の各々は、その内部を通って設けられた開口部（図示せず）を有し、この開口部は、略円筒形延長部６４３、６４４の内壁（図示せず）を画定する。第２の延長バスバー６４０の略円筒形延長部６４３は、その開口部が互いに一直線になるように、第１の延長バスバー６３０の略円筒形延長部６３４ａと略円筒形延長部６３４ｂとの間に位置決めされる。第２の延長バスバー６４０の略円筒形延長部６４４は、その開口部が互いに一直線になるように、第２のマウントバスバー６２０の略円筒形延長部６２４ａと略円筒形延長部６２４ｂとの間に位置決めされる。
【００３５】
各円筒形延長部６２４ａ、６２４ｂ、６３３ａ、６３３ｂ、６３４ａ、６３４ｂは、それぞれの開口部内でそれぞれの内壁に固設された電気接点１７０のうちの１つを有する。各円筒形延長部６１４、６４３、６４４は、それぞれの開口部内でそれぞれの内壁に固設された一対の電気接点１７０を有する。各円筒形延長部６１４、６４３、６４４における一対の電気接点１７０の使用により、単一の電気接点と比較してより高い電流容量を可能にする。
【００３６】
第１の接続部１８０は、ピン１５０のうちの１つを、第１のマウントバスバー６１０及び第１の延長バスバー６３０の円筒形延長部６１４、６３３ａ、６３３ｂの位置合わせされた開口部及び電気接点１７０を介して挿入することによって形成され、保持クリップ１６０のうちの１つによって定位置に固設されており、これにより、第１のマウントバスバー６１０及び第１の延長バスバー６３０の両方を機械的かつ電気的に接続している。第１の接続部１８０を形成するために、円筒形延長部６３３ａ、６３３ｂは、代わりに、第１のマウントバスバー６１０から延在することができ、円筒形延長部６１４は、代わりに、第１の延長バスバー６３０から延在することができることを理解されたい。第２の接続部１８２は、ピン１５０のうちの第２のピンを、第２のマウントバスバー６２０及び第２の延長バスバー６４０の円筒形延長部６２４ａ、６２４ｂ、６４４の位置合わせされた開口部及び電気接点１７０を介して挿入することによって形成され、保持クリップ１６０のうちの１つによって定位置に固設されており、これにより、第２のマウントバスバー６２０及び第２の延長バスバー６４０の両方を機械的かつ電気的に接続している。第２の接続部１８２を形成するために、円筒形延長部６２４ａ、６２４ｂは、代わりに、第２の延長バスバー６４０から延在することができ、円筒状延長部６４４は、代わりに、第２のマウントバスバー６２０から延在することができることを理解されたい。
【００３７】
第３の接続部１８４は、ピン１５０のうちの第３のピンを、第１及び第２の延長バスバー６３０、６４０の円筒形延長部６３４ａ、６３４ｂ、６４３の位置合わせされた開口部及び電気接点１７０を介して挿入することによって形成され、保持クリップ１６０のうちの１つによって定位置に固設されており、これにより、第３の接続部１８４において第１の延長バスバー６３０及び第２の延長バスバー６４０の両方を機械的かつ電気的に接続している。第３の接続部１８４を形成するために、円筒形延長部６３４ａ、６３４ｂは、代わりに、第２の延長バスバー６４０から延在することができ、円筒形延長部６４３は、代わりに、第１の延長バスバー６３０から延在することができることを理解されたい。したがって、第１、第２、及び第３の接続部１８０、１８２、１８４は、ヒンジのように作用し、その結果、第１及び第２の延長バスバー６３０、６４０が全て、電気的接続を維持しながら、ほぼ同じように回転することができる。
【００３８】
図１８は、ヒンジ付きバスバーアセンブリ７００の第７の実施形態を例示する。ヒンジ付きバスバーアセンブリ７００は、一対の第１の延長バスバー６３０及び一対の第２の延長バスバー６４０が提供される（同様に、関連する／必要とされるピン１５０、保持クリップ１６０、及び電気接点１７０も提供される）ことを除いて、ヒンジ付きバスバーアセンブリ６００と同一である。したがって、ヒンジ付きバスバーアセンブリ７００は、順番に、第１のマウントバスバー６１０、第１の延長バスバー６３０の第１の延長バスバー、第２の延長バスバー６４０の第１の延長バスバー、第１の延長バスバー６３０の第２の延長バスバー（その間に提供される第４の枢動接続部１８６を有する）、第２の延長バスバー６４０の第２の延長バスバー（その間に提供される第５の枢動接続部１８８を有する）、及び第２のマウントバスバー６２０を有するように構成されている。したがって、接続部１８０、１８２、１８４、１８６、１８８は、ヒンジのように作用し、その結果、第１及び第２の延長バスバー６３０、６４０が全て、電気的接続を維持しながら、ほぼ同じように回転することができる。また、図２〜図１７の実施形態では、複数の延長バスバーを有し得ることも理解されたい。
【００３９】
図１９は、水平な配向のヒンジ付きバスバーアセンブリ７００を例示する。ヒンジ付きバスバーアセンブリ７００が枢動接続部１８０、１８２、１８４、１８６、１８８の周りを枢動するとき、ヒンジ付きバスバーアセンブリ７００は、それ自体の上に畳み込まれる。一方、図２〜図１８は、垂直な配向の各ヒンジ付きバスバーアセンブリ１００、２００、３００、４００、５００、６００、７００を例示しており、ヒンジ付きバスバーアセンブリ１００、２００、３００、４００、５００、６００、７００もまた、図１９に示すような水平な配向で提供され得ることを理解されたい。
【００４０】
図２０は、ヒンジ付きバスバーアセンブリ８００の第８の実施形態を例示する。ヒンジ付きバスバーアセンブリ８００の第８の実施形態は、絶縁固設装置８９０が、ヒンジ付きバスバーアセンブリ８００を介してケーブル８９２を搬送することに備え、複数の延長バスバー１３０、１４０が、マウントバスバー１１０とマウントバスバー１２０との間に提供されることを除いて、図１２又は図１４のヒンジ付きバスバーアセンブリ３００、４００と同一である。複数の延長バスバー１３０、１４０が示されているが、一対の延長バスバー１３０、１４０のみが提供されてもよい。図１２のヒンジ付きバスバーアセンブリ３００が、図２０の実施形態に示され、同様の参照番号がその中で使用されている。
【００４１】
各固設装置８９０は、絶縁性であり、ヒンジ付きバスバーアセンブリ１００を一緒に定位置に固設し、それにより、ヒンジ付きバスバーアセンブリ１００が一緒に回転することを確実にする。各固設装置８９０は、バスバーアセンブリ１００間の空間内に位置決めされており、それらを一緒に定位置に固設し、それにより、ヒンジ付きバスバーアセンブリ２００の各々が一緒に回転することを確実にする。各固設装置８９０は、略Ｈ字形であり、延長バスバー１３０間の空間を介して延在しているクロスバー８９４、クロスバー８９４の第１の端部から延在している第１の部分８９６、及びクロスバー８９４の反対側の第２の端部から延在している第２の部分８９８を有する。クロスバー８９４は、第１の部分８９６の中央部及び第２の部分８９８の中央部から延在している。クロスバー８９４は、複数の隣接する平行リブから形成されてもよい。各固設装置８９０の第２の部分８９８は、固設装置８９０の反対側の端部の間に延在している中央通路９００を有する。
【００４２】
ヒンジ付きバスバーアセンブリ８００の第８の実施形態は、ケーブル８９２を更に含み、このケーブルは、一実施形態では、ヒンジ付きバスバーアセンブリ８００の長さに沿って延在している双軸ケーブルである。ケーブル８９２は、構成要素４０と構成要素５０との間で高速信号などの信号を搬送するために使用される。代替的に、ケーブル８９２は、構成要素４０と構成要素５０との間で電力を搬送するために使用することができる。代替的に、ケーブル８９２は、構成要素４０と構成要素５０との間で信号及び電力を搬送するために使用することができる。
【００４３】
一実施形態では、固設装置８９０は、延長バスバー１３０上に設けられた固設装置８９０の第１の部分８９６が、延長バスバー１４０上に設けられた固設装置８９０の第２の部分８９８に隣接するように、かつ延長バスバー１３０上に設けられた固設装置８９０の第２の部分８９８が、延長バスバー１４０上に設けられた固設装置８９０の第１の部分８９６に隣接するように、隣接する延長バスバー１３０、１４０において反転している。ケーブル８９２は、各中央通路９００を通って延在し、また、固設装置８９０の端部に近接する各延長バスバー１３０、１４０内の凹部９０４を通って延在している。したがって、この実施形態では、ケーブル８９２は、ケーブル８９２が、延長バスバー１３０に沿ってヒンジ付きバスバーアセンブリ８００の片面に沿って通過し、次いで、延長バスバー１４０に沿ってヒンジ付きバスバーアセンブリ８００の反対側に沿って通過するように、ヒンジ付きバスバーアセンブリ８００を「蛇行」する。別の実施形態では、固設装置８９０は、延長バスバー１３０上に設けられた固設装置８９０の第１の部分８９６が、延長バスバー１４０上に設けられた固設装置８９０の第１の部分８９６に隣接し、かつ延長バスバー１３０上に設けられた固設装置８９０の第２の部分８９８が、延長バスバー１４０上に設けられた固設装置８９０の第２の部分８９８に隣接するように、全て同じ方向に配向される。ケーブル８９２は、ヒンジ付きバスバーアセンブリ８００の同じ側面に沿って、各中央通路９００を通って延在している。この実施形態では、凹部９０４を排除することができる。
【００４４】
プリント回路基板９０６は、第１の構成要素４０（図２０には図示せず）上に取り付けられており、第１のマウントバスバー１１０に近接してもよい。プリント回路基板９０８は、第２の構成要素５０（図２０には図示せず）上に取り付けられており、第２のマウントバスバー１２０に近接してもよい。一例として、各プリント回路基板９０６、９０８は、１６ＤＰ  Ｒｏｂｕｓｔ  ＮｅａｒＳｔａｃｋ  Ｍｏｄｕｌｅ−１４４ＤＰ  ３４  ＡＷＧ  ＴｗｉｎＡｘ−９コネクタであってもよい。ケーブル８９２の端部は、コネクタでプリント回路基板９０６、９０８に好適に接続される。各端部にコネクタ及びプリント回路基板９０６、９０８を有する単一のケーブル８９２が提供されているが、複数のケーブル８９２、コネクタ、及び関連するプリント回路基板９０６、９０８が、固設装置８９０の中央経路９００を通ってルーティングされて、収容される追加の電気伝送能力を提供することができることを理解されたい。
【００４５】
本明細書に記載されるバスバー１３０、１４０、６３０、６４０の全てはまた、好ましくは、それらに電力コーティング絶縁材が適用される。
【００４６】
保持クリップ１６０は、ピン１５０を定位置に固設するための手段として提供されるが、他の好適な保持手段を所望される際／可能である際に使用することができる。
【００４７】
また、容易な参照のために番号付けされた以下の実施例が提供される。
【００４８】
１．第１の構成要素と第２の構成要素との間に電気的接続を提供するためのヒンジ付きバスバーアセンブリであって、固定接続部において第１の構成要素に電気的かつ機械的に接続されるように構成された第１のマウントバスバーと、固定接続部において第２の構成要素に電気的かつ機械的に接続されるように構成された第２のマウントバスバーと、第１のマウントバスバーと第２のマウントバスバーとの間に延在している、少なくとも２つの延長バスバーであって、隣接する延長バスバーが、枢動接続部において互いに電気的かつ機械的に接続されている、少なくとも２つの延長バスバーと、を備える、ヒンジ付きバスバーアセンブリ。
【００４９】
２．各枢動接続部が、各隣接するバスバーから延在している少なくとも１つの延長部と、各延長部内に取り付けられた少なくとも１つの電気接点と、電気接点を介して挿入されたピンと、を含む、実施例１に記載のヒンジ付きバスバーアセンブリ。
【００５０】
３．各延長部が、円筒形である、実施例２に記載のヒンジ付きバスバーアセンブリ。
【００５１】
４．各電気接点が、ばね接点である、実施例１に記載のヒンジ付きバスバーアセンブリ。
【００５２】
５．第１及び第２のマウントバスバーのうちの少なくとも１つが、Ｌ字形であり、各枢動接続部が、各隣接するバスバーから延在している少なくとも１つの延長部と、各延長部内に取り付けられた少なくとも１つの電気接点と、電気接点を介して挿入されたピンと、を含む、実施例１に記載のヒンジ付きバスバーアセンブリ。
【００５３】
６．第１及び第２のマウントバスバーのうちの少なくとも１つが、平面状プレートとして形成され、各枢動接続部が、各隣接するバスバーから延在している少なくとも１つの延長部と、各延長部内に取り付けられた少なくとも１つの電気接点と、電気接点を介して挿入されたピンと、を含み、第１及び第２のマウントバスバーのうちの少なくとも１つから延在している少なくとも１つの延長部が、プレートの中央から延在する、実施例１に記載のヒンジ付きバスバーアセンブリ。
【００５４】
７．第１及び第２のマウントバスバーのうちの少なくとも１つが、平面状プレートとして形成され、各枢動接続部が、各隣接するバスバーから延在している少なくとも１つの延長部と、各延長部内に取り付けられた少なくとも１つの電気接点と、電気接点を介して挿入されたピンと、を含み、第１及び第２のマウントバスバーのうちの少なくとも１つから延在している少なくとも１つの延長部が、プレートの縁部から延在する、実施例１に記載のヒンジ付きバスバーアセンブリ。
【００５５】
８．バスバーのうちの少なくとも１つが、その長さの少なくとも一部分に沿って延在しているエンボス加工部を有する、実施例１に記載のヒンジ付きバスバーアセンブリ。
【００５６】
９．固定接続部において第１の構成要素に電気的かつ機械的に接続されるように構成された第３のマウントバスバーと、固定接続部において第２の構成要素に電気的かつ機械的に接続されるように構成された第４のマウントバスバーと、第３のマウントバスバーと第４のマウントバスバーとの間に延在している、少なくとも２つの延長バスバーであって、第３のマウントバスバーと第４のマウントバスバーとの間に延在している隣接する延長バスバーが、枢動接続部において互いに電気的かつ機械的に接続されている、少なくとも２つの延長バスバーと、を更に備える、実施例１に記載のヒンジ付きバスバーアセンブリ。
【００５７】
１０．第１のマウントバスバーと第２のマウントバスバーとの間に延在している延長バスバーのうちの１つと、第３のマウントバスバーと第４のマウントバスバーとの間に延在している延長バスバーのうちの１つのうちの１つとの間に接続された第１の絶縁固設装置と、第１のマウントバスバーと第２のマウントバスバーとの間に延在している延長バスバーのうちの第２の延長バスバーと、第３のマウントバスバーと第４のマウントバスバーとの間に延在している延長バスバーのうちの１つの第２の延長バスバーとの間に接続された第２の絶縁固設装置と、を更に備える、実施例９に記載のヒンジ付きバスバーアセンブリ。
【００５８】
１１．各固設装置が、内部を通る通路を含み、通路を通って延在しているケーブルを更に備える、実施例１０に記載のヒンジ付きバスバーアセンブリ。
【００５９】
１２．各固設装置が、略Ｈ字形である、実施例１０に記載のヒンジ付きバスバーアセンブリ。
【００６０】
１３．各固設装置が、内部を通る通路を含み、通路を通って延在しているケーブルを更に備える、実施例１２に記載のヒンジ付きバスバーアセンブリ。
【００６１】
１４．第１のマウントバスバーと第２のマウントバスバーとの間に延在している延長バスバーのうちの１つの周りと、第３のマウントバスバーと第４のマウントバスバーとの間に延在している延長バスバーのうちの１つの周りとに延在している第１の絶縁固設装置と、第１のマウントバスバーと第２のマウントバスバーとの間に延在している延長バスバーのうちの別の１つの周りと、第３のマウントバスバーと第４のマウントバスバーとの間に延在している延長バスバーのうちの別の１つの周りとに延在している第２の絶縁固設装置と、を更に備える、実施例９に記載のヒンジ付きバスバーアセンブリ。
【００６２】
１５．アセンブリであって、第１の構成要素と、第２の構成要素と、第１の固定接続部において第１の構成要素に電気的かつ機械的に接続された第１のマウントバスバー、第２の固定接続部において第２の構成要素に電気的かつ機械的に接続された第２のマウントバスバー、及び第１のマウントバスバーと第２のマウントバスバーとの間に延在している、少なくとも２つの延長バスバーであって、隣接する延長バスバーが、第１の枢動接続部において互いに電気的かつ機械的に接続され、少なくとも２つの延長バスバーのうちの１つが、第２の枢動接続部において第１のマウントバスバーに電気的かつ機械的に接続され、少なくとも２つの延長バスバーのうちの別の１つが、第３の枢動接続部において第２のマウントバスバーに電気的かつ機械的に接続されている、少なくとも２つの延長バスバーを含む、ヒンジ付きバスバーアセンブリと、を備える、アセンブリ。
【００６３】
１６．第１の構成要素が取り付けられている摺動式挿入可能／引き出し可能なユニットと、第２の構成要素が取り付けられているラックマウントハードウェアと、を更に備える、実施例１５に記載のアセンブリ。
【００６４】
１７．第１の構成要素が、ミッドプレーン、バックプレーン、ドーターカード、及びシャーシのうちの１つであり、第２の構成要素が、ミッドプレーン、バックプレーン、ドーターカード、及びシャーシのうちの１つである、実施例１５に記載のアセンブリ。
【００６５】
１８．各枢動接続部が、各隣接するバスバーから延在している少なくとも１つの延長部と、各延長部内に取り付けられた少なくとも１つの電気接点と、電気接点を介して挿入されたピンと、を含む、実施例１５に記載のヒンジ付きバスバーアセンブリ。
【００６６】
１９．第３の固定接続部において第１の構成要素に電気的かつ機械的に接続された第３のマウントバスバー、第４の固定接続部において第２の構成要素に電気的かつ機械的に接続された第４のマウントバスバー、及び第３のマウントバスバーと第４のマウントバスバーとの間に延在している、少なくとも２つの延長バスバーであって、第２のヒンジ付きバスバーアセンブリの隣接する延長バスバーが、第４の枢動接続部において互いに電気的かつ機械的に接続されており、少なくとも２つの延長バスバーのうちの１つが、第５の枢動接続部において第３のマウントバスバーに電気的かつ機械的に接続されており、少なくとも２つの延長バスバーのうちの別の１つが、第６の枢動接続部において第４のマウントバスバーに電気的かつ機械的に接続されている、少なくとも２つの延長バスバーを含む、第２のヒンジ付きバスバーアセンブリを更に備える、実施例１５に記載のアセンブリ。
【００６７】
２０．第１の画定されたヒンジ付きバスバーアセンブリの延長バスバーのうちの１つと、第２のヒンジ付きバスバーアセンブリの延長バスバーのうちの１つとの間に接続された第１の絶縁固設装置と、第１の画定されたヒンジ付きバスバーアセンブリの延長バスバーのうちの別の１つと、第２のヒンジ付きバスバーアセンブリの延長バスバーのうちの別の１つとの間に接続された第２の絶縁固設装置と、を更に備える、実施例１９に記載のアセンブリ。
【００６８】
これらに限定されるものではないが、電気接点１７０の数／配設の多くの変形及び修正、使用されるバスバーの数及び構成、提供される接続場所の数、並びにそのような特徴の追加の組み合わせ、又は代替的に他のタイプのバスバーを明示的に含む、本明細書に個別に開示又は特許請求されている本明細書に開示された特徴の組み合わせなど、当業者には容易に明らかであろう上述の例示された実施形態の多くの修正が存在することが理解されるであろう。また、材料及び構成には多くの可能な変形が存在する。
【００６９】
本明細書で提供される開示は、その好ましい実施形態及び例示的な実施形態の観点から特徴を説明する。当業者には、添付の特許請求の範囲及び趣旨の範囲内で、数多くの他の実施形態、修正及び変形が、本開示を検討することにより想起されるであろう。
【図１】
2021531563.tif 000003
【図２】
2021531563.tif 000004
【図３】
2021531563.tif 000005
【図４】
2021531563.tif 000006
【図５】
2021531563.tif 000007
【図６】
2021531563.tif 000008
【図７】
2021531563.tif 000009
【図８】
2021531563.tif 000010
【図９】
2021531563.tif 000011
【図１０】
2021531563.tif 000012
【図１１】
2021531563.tif 000013
【図１２】
2021531563.tif 000014
【図１３】
2021531563.tif 000015
【図１４】
2021531563.tif 000016
【図１５】
2021531563.tif 000017
【図１６】
2021531563.tif 000018
【図１７】
2021531563.tif 000019
【図１８】
2021531563.tif 000020
【図１９】
2021531563.tif 000021
【図２０】
2021531563.tif 000022
【国際調査報告】
2021531563.tif 000023
2021531563.tif 000024